(57)【要約】【課題】ダブルフィラメントタイプの電球において、すれ違いビーム用フィラメントから放出された光が走行ビーム用フィラメントを支持する内部リード線で反射されるのを抑制することによって、すれ違い用配光パターンの形成に寄与せず、且つ有害な影響を与える乱反射光の発生を防止し、よって最適な配光パターンの形成が可能となるようにすること。【解決手段】すれ違いビーム用フィラメント５をガラスバルブ３の光軸Ｘを含む水平基準面上に光軸Ｘに直交する方向に向けて配置し、走行ビーム用フィラメント４を前記水平基準面に垂直な平面上にすれ違いビーム用フィラメント５と平行に並設し、前記すれ違いビーム用フィラメント５を支持する一対の内部リード線５ａ、５ｂを水平基準面上に位置させ、前記走行ビーム用フィラメント４を支持する一対の内部リード線５ａ、５ｂを光軸Ｘに平行で且つ水平基準面に垂直な面上に位置させた。【選択図】図１
2009110863.tif 000002
【特許請求の範囲】
【請求項１】
電球の略円筒形状のガラスバルブ内にすれ違いビーム用フィラメントおよび走行ビーム用フィラメントを有すると共に、前記すれ違いビーム用フィラメントの両端部が一対の第１のリード線の一方の端部に接続・支持され、前記走行ビーム用フィラメントの両端部が一対の第２のリード線の一方の端部に接続・支持され、前記４本のリード線の他端部側が夫々リード線保持体で一列に挟持・保持されてなる電球のマウント構造体であって、前記すれ違いビーム用フィラメントは前記ガラスバルブの中心軸と略同一線上に位置する光軸を含む第１の平面上に前記光軸Ｘと直交する方向に向いて位置し、前記走行ビーム用フィラメントは前記第１の平面に垂直な第２の平面上に前記すれ違いビーム用フィラメントと略平行に並設され、前記一対の第１のリード線は前記リード線保持体において前記一対の第２のリード線に挟まれた位置に位置すると共に前記すれ違いビーム用フィラメントと前記リード線保持体を結ぶ間は前記略第１の平面上に位置し、前記一対の第２のリード線は前記走行ビーム用フィラメントと前記リード線保持体を結ぶ間は前記光軸Ｘに平行で且つ前記第１の平面に略垂直な第３の平面上に位置することを特徴とする電球のマウント構造体。
【請求項２】
前記第１のリード線の夫々は、前記すれ違いビーム用フィラメントと前記リード線保持体を結ぶ間に少なくとも２箇所の折曲部が形成され、前記第２のリード線の夫々は、前記走行ビーム用フィラメントと前記リード線保持体を結ぶ間に少なくとも２箇所の折曲部が形成されてなることを特徴とする請求項１に記載の電球のマウント構造体。
【請求項３】
前記一対の第１のリード線および前記一対の第２のリード線のうち前記リード線保持体において互いに隣接して位置する一対のリード線同士が接続されて共通アース用リード線を構成し、電球用口金に一方の側から順に配設された共通アース用端子、すれ違いフィラメント用端子、および走行フィラメント用端子の前記共通アース用端子に前記共通アース用リード線を接続し、前記すれ違いフィラメント用端子に前記第１のリード線のうちの１本を接続し、前記走行フィラメント用端子に前記第２のリード線のうちの１本を接続してなることを特徴とする請求項１または２のいずれか１項に記載の電球のマウント構造体。
【請求項４】
前記ガラスバルブ内にハロゲンガスまたはハロゲン化合物ガスが封入されていることを特徴とする請求項１〜３のいずれか１項に記載の電球のマウント構造体。
【発明の詳細な説明】
【技術分野】
【０００１】
本発明は、電球のマウント構造体に関するものであり、詳しくは、車両用前照灯に用いられるダブルフィラメントタイプの電球のマウント構造体に関する。
【背景技術】
【０００２】
従来、電球のガラスバルブ内に支持されるダブルフィラメントのマウント構造体に関し、図５に示す技術が提案されている。それは、略円筒形状のガラスバルブ５０内に走行ビームの発光源となるフィラメント（走行ビーム用フィラメント）５１と、すれ違いビームの発光源となるフィラメント（すれ違いビーム用フィラメント）５２の２つのフィラメントが、該ガラスバルブ５０の長手方向に垂直な略同一平面状に平行に並設され、各フィラメント５１、５２の両端が、夫々ガラス製のブリッジ５３に一列に平行に保持された２組の一対の内部リード線５１ａ、５１ｂおよび内部リード線５２ａ、５２ｂに接続・支持されている。
【０００３】
このとき、すれ違いビーム用フィラメント５２を支持する一対の内部リード線５２ａ、５２ｂは、ブリッジ５３から所定の長さ該ブリッジ５３に略垂直な方向に直線状に延びて夫々の端部がすれ違いビーム用フィラメント５２の各端部に接続されている。
【０００４】
一方、走行ビーム用フィラメント５１を支持する一対の内部リード線５１ａ、５１ｂは、ブリッジ５３においてすれ違いビーム用フィラメント５２を支持する一対の内部リード線５２ａ、５２ｂの内側に保持され、夫々該ブリッジ５３から所定の長さ直線状に内部リード線５２ａ、５２ｂと平行に延び、折り曲げられてブリッジ５３から離れる方向で且つ外側方向（内部リード線５２ａ、５２ｂが位置する方向）に所定の長さ直線状に延び、再度折り曲げられて所定の長さ直線状に内部リード線５２ａ、５２ｂと平行に延び、端部が走行ビーム用フィラメント５１の各端部に接続されている。
【０００５】
そして、図６に示すように、上記構成のマウント構造体５６において、すれ違いビーム用フィラメント５２および該フィラメント５２を支持する一対の内部リード線５２ａ、５２ｂはいずれも電球５７の略水平基準面Ｈ上に位置し、走行ビーム用フィラメント５１は水平基準面Ｈに垂直な面で、且つすれ違いビーム用フィラメント５２と略同一平面状に平行に並設されている（例えば、特許文献１参照。）。
【特許文献１】特開２００６−１４７３８５号公報
【発明の開示】
【発明が解決しようとする課題】
【０００６】
ところで、上記構成のマウント構造体５６は、図５に戻って、すれ違いビーム用フィラメント５２から放出される光のうち、電球５７の水平基準面Ｈよりも下側（走行ビーム用フィラメント５１側）方向に向かう光Ｌの一部は走行ビーム用フィラメント５１を支持する内部リード線５１ａ、５１ｂの折曲形成部５８に当たり、折曲形成部５８で様々な方向に反射される。
【０００７】
このような、折曲形成部５８で反射された反射光（乱反射光Ｌ）は、図７のように、すれ違いビーム用フィラメント５２から放出された光ですれ違い用配光パターンを形成するように配設された光路制御用の、内側の面を反射面とするリフレクタ６０および適宜レンズカットが施されたアウターレンズ６１に対して正規の光路から外れるものとなる。そのため、すれ違い用配光パターンの形成に寄与するものとはならず、かえってすれ違い用配光パターンの形成に有害な影響を与える懸念がある。
【０００８】
また、図８のように、電球５７のすれ違いビーム用フィラメント５２を支持する一対の内部リード線５２ａ、５２ｂ、および走行ビーム用フィラメント５１を支持する一対の内部リード線５１ａ、５１ｂの夫々に接続されてガラスバルブ５０外に導出された一対の外部リード線６５ａ、６５ｂ、および一対の外部リード線６４ａ、６４ｂを口金６２に一方の側から順に配設された共通アース用端子ｊ、すれ違いフィラメント用端子ｉ、および走行フィラメント用端子ｈに接続する場合、外部リード線６４ａと外部リード線６５ａを交差させる必要があり、その際、交差部ｃで互いに接触して電気的に短絡状態となる懸念がある。
【０００９】
そこで、本発明は上記問題に鑑みて創案なされたもので、その目的とするところは、ダブルフィラメントタイプの電球において、すれ違いビーム用フィラメントから放出された光が走行ビーム用フィラメントを支持する内部リード線で反射されるのを抑制することによって、すれ違い用配光パターンの形成に寄与せず且つ有害な影響を与える乱反射光の発生を防止し、よって最適な配光パターンの形成が可能となるようにすることにある。
【００１０】
また、口金に所定の配列で設けられた複数の端子に各外部リード線を接続するに際して、外部リード線同士の交差を回避して互いに電気的短絡状態を生じさせないようにすることにある。
【課題を解決するための手段】
【００１１】
上記課題を解決するために、本発明の請求項１に記載された発明は、電球の略円筒形状のガラスバルブ内にすれ違いビーム用フィラメントおよび走行ビーム用フィラメントを有すると共に、前記すれ違いビーム用フィラメントの両端部が一対の第１のリード線の一方の端部に接続・支持され、前記走行ビーム用フィラメントの両端部が一対の第２のリード線の一方の端部に接続・支持され、前記４本のリード線の他端部側が夫々リード線保持体で一列に挟持・保持されてなる電球のマウント構造体であって、前記すれ違いビーム用フィラメントは前記ガラスバルブの中心軸と略同一線上に位置する光軸を含む第１の平面上に前記光軸Ｘと直交する方向に向いて位置し、前記走行ビーム用フィラメントは前記第１の平面に垂直な第２の平面上に前記すれ違いビーム用フィラメントと略平行に並設され、前記一対の第１のリード線は前記リード線保持体において前記一対の第２のリード線に挟まれた位置に位置すると共に前記すれ違いビーム用フィラメントと前記リード線保持体を結ぶ間は前記略第１の平面上に位置し、前記一対の第２のリード線は前記走行ビーム用フィラメントと前記リード線保持体を結ぶ間は前記光軸Ｘに平行で且つ前記第１の平面に略垂直な第３の平面上に位置することを特徴とするものである。
【００１２】
また、本発明の請求項２に記載された発明は、請求項１において、前記第１のリード線の夫々は、前記すれ違いビーム用フィラメントと前記リード線保持体を結ぶ間に少なくとも２箇所の折曲部が形成され、前記第２のリード線の夫々は、前記走行ビーム用フィラメントと前記リード線保持体を結ぶ間に少なくとも２箇所の折曲部が形成されてなることを特徴とするものである。
【００１３】
また、本発明の請求項３に記載された発明は、請求項１または２のいずれか１項において、前記一対の第１のリード線および前記一対の第２のリード線のうち前記リード線保持体において互いに隣接して位置する一対のリード線同士が接続されて共通アース用リード線を構成し、電球用口金に一方の側から順に配設された共通アース用端子、すれ違いフィラメント用端子、および走行フィラメント用端子の前記共通アース用端子に前記共通アース用リード線を接続し、前記すれ違いフィラメント用端子に前記第１のリード線のうちの１本を接続し、前記走行フィラメント用端子に前記第２のリード線のうちの１本を接続してなることを特徴とするものである。
【００１４】
また、本発明の請求項４に記載された発明は、請求項１〜３のいずれか１項において、前記ガラスバルブ内にハロゲンガスまたはハロゲン化合物ガスが封入されていることを特徴とするものである。
【発明の効果】
【００１５】
本発明の電球のマウント構造体は、すれ違いビーム用フィラメントをガラスバルブの光軸Ｘを含む水平基準面上に光軸Ｘに直交する方向に向けて配置し、走行ビーム用フィラメントを前記水平基準面に垂直な平面上にすれ違いビーム用フィラメントと平行に並設し、すれ違いビーム用フィラメントを支持する一対のリード線を水平基準面上に位置させ、走行ビーム用フィラメントを支持する一対のリード線を光軸Ｘに平行で且つ水平基準面に垂直な平面上に位置させた。
【００１６】
その結果、すれ違いビーム用フィラメントから放出された光が走行ビーム用フィラメントを支持するリード線で反射されるのを抑制することによって、すれ違い用配光パターンの形成に寄与せず且つ有害な影響を与える乱反射光の発生を防止し、よって最適な配光パターンを形成することが可能となった。
【００１７】
また、すれ違いビーム用フィラメントを支持する一対のリード線および走行ビーム用フィラメントを支持する一対のリード線の配置を電球用口金の端子の配置と整合させた。
【００１８】
その結果、リード線同士の交差を回避して互いに電気的短絡状態を生じさせないようにすることが可能となった。
【発明を実施するための最良の形態】
【００１９】
以下、この発明の好適な実施形態を図１〜図４を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２０】
図１は本発明に係わるマウント構造体を示す斜視図である。マウント構造体１は電球２の略円筒形状のガラスバルブ３内に支持され、走行ビームの発光源となる走行ビーム用フィラメント４およびすれ違いビームの発光源となるすれ違いビーム用フィラメント５、走行ビーム用フィラメント４を支持する一対の内部リード線４ａ、４ｂおよびすれ違いビーム用フィラメント５を支持する一対の内部リード線５ａ、５ｂ、各内部リード線４ａ、４ｂ、５ａ、５ｂを一体に保持するガラス製のブリッジ６で構成されている。ガラスバルブ３内にはハロゲンガスまたはハロゲン化合物ガスが封入されている。
【００２１】
すれ違いビーム用フィラメント５はその中心軸Ｙｂが、ガラスバルブ３の中心軸と同一線上に位置する電球２の光軸Ｘを含む電球２の略水平基準面Ｈ上に、光軸Ｘと直交する方向に向いて位置しており、走行ビーム用フィラメント４はその中心軸Ｙａが、水平基準面Ｈに垂直な、すれ違いビーム用フィラメント５の中心軸Ｙｂと略同一平面状に、中心軸Ｙｂに平行に並設されている（図２参照）。
【００２２】
走行ビーム用フィラメント４の両端は内部リード線４ａ、４ｂの夫々の一方の端部に接続・支持され、すれ違いビーム用フィラメント５の両端は内部リード線５ａ、５ｂの夫々の一方の端部に接続・支持されている。
【００２３】
ブリッジ６はガラス製の略円柱形状を呈する一対のガラス柱状体６ａ、６ｂが並設されてなると共にその長手方向が走行ビーム用フィラメント４およびすれ違いビーム用フィラメント５と略平行に位置し、各内部リード線４ａ、４ｂ、５ａ、５ｂの中間部が一対のガラス柱状体６ａ、６ｂで一列に平行に挟持・保持されている。
【００２４】
すれ違いビーム用フィラメント５を支持する一対の内部リード線５ａ、５ｂは、ブリッジ６において走行ビーム用フィラメント４を支持する一対の内部リード線４ａ、４ｂの内側に挟持・保持され、且つブリッジ６からすれ違いビーム用フィラメント５の端部に至る全線が電球２の略水平基準面Ｈ上に位置している。
【００２５】
同時に、内部リード線５ａ、５ｂは、ブリッジ６から光軸Ｘに平行な方向に長さＬｂ１だけ直線状に延び、そこで折り曲げられてブリッジ６から離れる方向で且つ外側方向（内部リード線４ａ、４ｂが位置する方向）に長さＬｂ２だけ直線状に延び、再度折り曲げられて光軸Ｘに平行な方向に長さＬｂ３だけ直線状に延び、端部がすれ違いビーム用フィラメント５の各端部に接続されている。
【００２６】
一方、走行ビーム用フィラメント４を支持する一対の内部リード線４ａ、４ｂは、ブリッジ６から光軸Ｘに平行な方向に長さＬａ１だけ直線状に延び、そこで折り曲げられてブリッジ６の長手方向に垂直な方向で且つ下側方向（走行ビーム用フィラメント４が位置する方向）に長さＬａ２だけ直線状に延び、再度折り曲げられて光軸Ｘに平行な方向に長さＬａ３だけ直線状に延び、端部が走行ビーム用フィラメント４の各端部に接続されている。
【００２７】
なお、ブリッジ６から直線状に延びる内部リード線４ａ、４ｂの長さＬａ１と内部リード線５ａ、５ｂの長さＬｂ１は必ずしも同一である必要はなく、長さＬａ１および長さＬｂ１の違いは電球２の光学特性（配光特性）にはほとんど影響を及ぼさない。
【００２８】
また、図１では内部リード線４ｂと内部リード線５ｂについてのみ各直線部の長さを記載しているが、内部リード線４ａは内部リード線４ｂと、内部リード線５ａは内部リード線５ｂと夫々同様の形状に成形されているので記載を省略している。
【００２９】
図３は上記構成のマウント構造体１をフィラメント４、５側から見た図であり、走行ビーム用フィラメント４、すれ違いビーム用フィラメント５、走行ビーム用フィラメント４を支持する内部リード線４ａ、４ｂ、およびすれ違いビーム用フィラメント５を支持する内部リード線５ａ、５ｂの位置関係を示している。
【００３０】
この図からわかるように、走行ビーム用フィラメント４とすれ違いビーム用フィラメント５で挟まれた領域（奥行き方向を含む）には内部リード線４ａ、４ｂ、５ａ、５ｂのいずれも位置しないメタルフリーゾーンＭｆが形成されている。
【００３１】
従って、すれ違いビーム用フィラメント５からメタルフリーゾーンＭｆに向けて放出された光は、その光路がいずれの内部リード線４ａ、４ｂ、５ａ、５ｂにも遮られることがなく、すれ違い用配光パターンの形成に有害な影響を与える光路を辿る光（乱反射光）の存在を抑制することができる。
【００３２】
その結果、すれ違い用配光パターンの形成に寄与しない光が削減されて高光利用効率による明るく且つ良好な視認性を確保することが可能な配光パターンを形成することができる。また、対向車の運転者に対して運転の障害となる眩光が低減することになり車両の安全運転にも寄与するものとなる。
【００３３】
また、上記構成のマウント構造体１を有する電球２は口金に固定・保持されて完成品となるが、図４（電球と口金の組付説明図）に示すように、口金７は一方の側から共通アース用端子ｊ、すれ違いフィラメント用端子ｉ、および走行フィラメント用端子ｈの順に配設されている。
【００３４】
一方、電球２は走行ビーム用フィラメント４を支持する一対の内部リード線４ａ、４ｂが夫々ガラスバルブ３から導出された外部リード線４ａａ、４ｂｂおよびすれ違いビーム用フィラメント５を支持する一対の内部リード線５ａ、５ｂが夫々ガラスバルブ３から導出された外部リード線５ａａ、５ｂｂのうち、外部リード線４ｂｂと外部リード線５ｂｂが接続されて１本の共通アース用外部リード線８が形成され、一方の側から共通アース用外部リード線８、すれ違いフィラメント用外部リード線５ａａ、および走行フィラメント用外部リード線４ａａの順に配列されている。
【００３５】
従って、口金の共通アース用端子ｊに電球の共通アース用外部リード線８を接続し、同様に口金７のすれ違いフィラメント用端子ｉにすれ違いフィラメント用外部リード線５ａａを、口金７の走行フィラメント用端子ｈに走行フィラメント用外部リード線４ａａを夫々接続しても、外部リード線同士が交差することなく、電気的短絡状態を生じる懸念はない。
【図面の簡単な説明】
【００３６】
【図１】本発明に係わる実施形態の斜視図である。
【図２】同じく、本発明に係わる実施形態の説明図である。
【図３】同じく、本発明に係わる実施形態の内部リード線の配置状態を示す図である。
【図４】同じく、本発明に係わる実施形態の電球と口金の組付説明図である。
【図５】従来例の斜視図である。
【図６】同じく、従来例の説明図である。
【図７】同じく、従来例の口金付電球をレンズとハウジングで覆った図である。
【図８】同じく、従来例の電球と口金の組付説明図である。
【符号の説明】
【００３７】
１  マウント構造体
２  電球
３  ガラスバルブ
４  走行ビーム用フィラメント
４ａ    内部リード線
４ａａ  外部リード線
４ｂ    内部レード線
４ｂｂ  外部リード線
５  すれ違いビーム用フィラメント
５ａ    内部リード線
５ａａ  外部リード線
５ｂ    内部レード線
５ｂｂ  外部リード線
６  ブリッジ
６ａ  ガラス柱状体
６ｂ  ガラス柱状体
７  口金
８  外部リード線
【図１】
2009110863.tif 000003
【図２】
2009110863.tif 000004
【図３】
2009110863.tif 000005
【図４】
2009110863.tif 000006
【図５】
2009110863.tif 000007
【図６】
2009110863.tif 000008
【図７】
2009110863.tif 000009
【図８】
2009110863.tif 000010